(57)【要約】【課題】  障害物やノイズの影響を受けないで、リモコン操作により確実に電子機器が操作できる光信号伝播装置を提供することを目的とする。【解決手段】  電子機器１と、当該電子機器１を制御するために光制御信号Ｐを発信するリモコン２との間に配設された光伝播路４を備え、光伝播路４は、リモコン２からの光制御信号Ｐを受光し、この受光した光制御信号Ｐを電子機器１に向けて出射するように構成した光信号伝播装置３において、光伝播路４の一方の端部に設けられ、リモコン２からの光制御信号Ｐを受ける受光面５１を有する受光部５、を更に備え、光伝播路は４、一方の端部を光制御信号Ｐが入射する入射口４１とし、他方の端部を光制御信号Ｐが出射する出射口４２となし、入射口４１を受光部５に配設するとともに、受光部５は、リモコン２から入射口４１に直接向かう光制御信号Ｐのみが入射されるように構成する。【選択図】図２
2008099150.tif 000002
【特許請求の範囲】
【請求項１】
電子機器と、当該電子機器を制御するために光制御信号を発信するリモートコントロール送信機との間に配設された光伝播路を備え、前記光伝播路は、前記リモートコントロール送信機からの前記光制御信号を受光し、この受光した前記光制御信号を前記電子機器に向けて出射するように構成した光信号伝播装置において、
前記光伝播路の一方の端部に設けられ、前記リモートコントロール送信機からの前記光制御信号を受ける受光部と、前記光伝播路の他方の端部に設けられ、前記光制御信号を前記電子機器に向けて出射する出射部と、を更に備え、前記光伝播路は、一方の端部を前記光制御信号が入射する入射口とし、他方の端部を前記光制御信号が出射する出射口となし、前記受光部は、前記光制御信号に向けて配設される受光面と、当該受光面から内部に向かって窪むように形成された半球状の反射面とを合成樹脂により一体に形成し、前記反射面の最深部に前記入射口を配設したことを特徴とする光信号伝播装置。
【請求項２】
電子機器と、当該電子機器を制御するために光制御信号を発信するリモートコントロール送信機との間に配設された光伝播路を備え、前記光伝播路は、前記リモートコントロール送信機からの前記光制御信号を受光し、この受光した前記光制御信号を前記電子機器に向けて出射するように構成した光信号伝播装置において、
前記光伝播路の一方の端部に設けられ、前記リモートコントロール送信機からの前記光制御信号を受ける受光面を有する受光部、を更に備え、前記光伝播路は、一方の端部を前記光制御信号が入射する入射口とし、他方の端部を前記光制御信号が出射する出射口となし、前記入射口を前記受光部に配設するとともに、前記受光部は、前記リモートコントロール送信機から前記入射口に直接向かう前記光制御信号のみが入射されるように構成したことを特徴とする光信号伝播装置。
【請求項３】
前記受光部は、前記受光面をリモコン受信部に向けて配設した際、設置面となりうる複数の面を有する断面形状が多角形に形成され、前記各面のうち少なくとも２つの面は、前記受光面に対して異なる角度となるように構成したことを特徴とする請求項１または請求項２に記載の光信号伝播装置。
【請求項４】
前記光伝播路を保持する保持スタンドを、更に備え、前記出射口の近傍を、前記保持スタンドにより保持して、前記出射口が、前記電子機器に向かうように配置したことを特徴とする請求項２に記載の光信号伝播装置。
【請求項５】
前記出射口が内部に配設された差込みプラグを、更に備え、前記差込みプラグを、前記電子機器に設けられたリモコン受信部のジャック部に着脱可能に構成したことを特徴とする請求項２に記載の光信号伝播装置。
【請求項６】
前記受光部と、前記出射部とを、同一形状に形成し、前記受光部を前記出射部として、また、前記出射部を前記受光部として利用可能に構成したことを特徴とする請求項１に記載の光信号伝播装置。
【発明の詳細な説明】
【技術分野】
【０００１】
本発明は、電子機器と、当該電子機器を制御するために光制御信号を発信するリモートコントロール送信機（以下単に、リモコンと称す。）との間に配設される光信号伝播装置に関し、特に、障害物やノイズの影響を受けないで、リモコン操作により確実に電子機器が操作できるようにしたものである。
【背景技術】
【０００２】
近年、例えば、テレビジョン受像機、ビデオテープレコーダ、カラオケ装置またはエアコンなどの電子機器は、フロントパネルの操作部を除外または簡略化して、リモコンにより遠隔操作できるリモートコントロール方式が採用されている。リモコンからは、例えば、ＦＭ変調された制御信号が、赤外線発光ダイオードなどの発光素子による信号光に変換して光制御信号が出力される。電子機器のリモコン受信部では、赤外線などからなる光制御信号を電子機器のフロントパネルに設けられた受光窓を介しフォトダイオードなどの受光素子を有するリモコン受信部で受光して電気信号に光電変換され、その電気信号が受信処理部で増幅および復調されたのちに制御部に対し出力される。
【０００３】
一般的に、この種電子機器に用いられているリモートコントロール方式では、上述のように、赤外線などのような光を制御信号として利用しているので、その性格上、リモコンと、電子機器のリモコン受信部との間に、人や他の障害物などがあると、光制御信号がリモコン受信部に確実に到達せず、また、ノイズなどの影響を受け、所望の操作ができないことがあった。
【０００４】
この対策として、従来では、例えば、リモコンと、カラオケ装置の受光部との間を、一方の端部に嵌め込み型の受光部、他方の端部に嵌め込み型の発光部が設けられた光ファイバーケーブルにより、直接結合するようにしたものがある(例えば、特許文献１参照）。また、浴室の壁などに光ファイバーケーブルを埋設し、光ファイバーケーブルの一方の端部に鏡面加工が施された椀状の集光器を設け、光ファイバーケーブルの他方の端部にレンズを介して電子機器を配設し、リモコンからの光制御信号を、集光器で集光し、受光部で受光し、光ファイバーケーブルを介して電子機器に伝達するようにしたものがある(例えば、特許文献２参照）。
【特許文献１】特開平１０−２８５６６３号公報
【特許文献２】特開２００６−１７４３１４号公報
【発明の開示】
【発明が解決しようとする課題】
【０００５】
しかし、前述の特許文献１記載の構成では、リモコンと嵌め込み型の発光部を直接接続しているので、使用者の操作位置に応じて、リモコンとともに、光ファイバーケーブルを引き回す必要があり、その使用形態が極めて制限される他、光ファイバーケーブルを損傷するなどといった問題があった。また、特許文献２記載の構成では、受光部には、例えば、図１５にタイムチャートで示すように、直接受光部で受光した光制御信号Ｐに、集光器の反射面で反射され、反射時間だけ遅れた反射光制御信号Ｐ２、Ｐ３などがノイズとして入力される。この結果、光ファイバーケーブルを介して電子機器側で受光される光制御信号Ｐｎは、光制御信号Ｐ１に、複数の反射光制御信号Ｐ２、Ｐ３などが重畳したものとなる。このようにノイズが重畳した光制御信号Ｐｎは、電子機器の信号処理部で判別することができず、リモコン操作が不能になる。また、光ファイバーケーブルが壁に埋設され、受光部およびレンズとの間に空間を介して配設されているので、位置関係が極めて重要となり、これらの関係がずれると、光制御信号を伝達する機能が損なわれる他、設置工事が複雑で、極めて高価となるなどといった問題があった。なお、図１５において、横軸は、時間（Ｔ）である。
【０００６】
本発明は、上述した問題を解決するためになされたものであり、障害物やノイズの影響を受けないで、リモコン操作により確実に電子機器が操作できる光信号伝播装置を提供することを目的とする。
【課題を解決するための手段】
【０００７】
かかる目的を達成するため、本発明では、電子機器と、当該電子機器を制御するために光制御信号を発信するリモコンとの間に配設された光伝播路を備え、光伝播路は、リモコンからの光制御信号を受光し、この受光した光制御信号を電子機器に向けて出射するように構成した光信号伝播装置において、光伝播路の一方の端部に設けられ、リモコンからの光制御信号を受ける受光部と、光伝播路の他方の端部に設けられ、光制御信号を電子機器に向けて出射する出射部と、を更に備え、光伝播路は、一方の端部を光制御信号が入射する入射口とし、他方の端部を光制御信号が出射する出射口となし、受光部は、光制御信号に向けて配設される受光面と、当該受光面から内部に向かって窪むように形成された半球状の反射面とを合成樹脂により一体に形成し、反射面の最深部に入射口を配設する。
【０００８】
この構成によれば、電子機器と、当該電子機器を制御するために光制御信号を発信するリモコンとの間に、光信号を伝播する光伝播路と、光伝播路の一方の端部に設けられ、リモコンからの光制御信号を受ける受光部と、光伝播路の他方の端部に設けられ、光制御信号を電子機器に向けて出射する出射部とを、単に配設すればよいので、上述した従来例のように、リモコンと、光伝播路とを直接接続する必要がない。その結果、その使用形態が制限されることがない。また、光伝播路を使用者の操作位置に応じて、リモコンとともに、引き回す必要がないので、光伝播路を損傷することがない。更には、入射口は、半球状の反射面の最深部に配設されているので入射口には、リモコンから直接入射口に向かう光制御信号のみが入射され、反射面によって反射された反射光制御信号は、反射面によって受光部から外部に反射される。この結果、上述した従来例のように、光制御信号にノイズが重畳することがないので、障害物やノイズの影響を受けることなく、電子機器をリモコンにより確実に操作することができる。しかも、上述した従来例のように、特別な設置工事が必要でないので、この種光信号伝播装置のコストの低減を図ることができる。
【０００９】
また、本発明においては、電子機器と、当該電子機器を制御するために光制御信号を発信するリモコンとの間に配設された光伝播路を備え、光伝播路は、リモコンからの光制御信号を受光し、この受光した光制御信号を電子機器に向けて出射するように構成した光信号伝播装置において、光伝播路の一方の端部に設けられ、リモコンからの光制御信号を受ける受光面を有する受光部、を更に備え、光伝播路は、一方の端部を光制御信号が入射する入射口とし、他方の端部を光制御信号が出射する出射口となし、入射口を受光部に配設するとともに、受光部は、リモコンから入射口に直接向かう光制御信号のみが入射されるように構成する。
【００１０】
この構成によれば、上述した従来例のように、電子機器とリモコンとを、光伝播路を介して直接接続する必要がないので、その使用形態が制限されることがない。また、リモコンとともに、光伝播路を引き廻す必要がないので、光伝播路を損傷することがない。更には、入射口には、リモコンから入射口に直接向かう光制御信号のみが入射されるので、上述した従来例のように、光制御信号にノイズが重畳することがない。従って、障害物やノイズの影響を受けることなく、電子機器をリモコンにより確実に操作することができる。しかも、上述した従来例のように、特別な設置工事が必要でないので、この種光信号伝播装置のコストの低減を図ることができる。
【００１１】
また、本発明においては、受光部は、受光面をリモコン受信部に向けて配設した際、設置面となりうる複数の面を有する断面形状が多角形に形成され、各面のうち少なくとも２つの面は、受光面に対して異なる角度となるように構成する。
【００１２】
この構成によれば、受光部は、設置面となりうる複数の面を有し、この面は、受光面が異なる角度となるように設置できるので、使用場所、設置環境などに応じて、受光面がリモコンを操作する操作者に対して最適な角度となるように受光部を設置することができ、都合がよい。
【００１３】
また、本発明においては、光伝播路を保持する保持スタンドを、更に備え、出射口の近傍を、保持スタンドにより保持して、出射口が、電子機器に向かうように配置する。
【００１４】
この構成によれば、光伝播路の出射口を、保持スタンドにより保持しているので、極めて簡単に、出射口と、電子機器との位置関係を、極めて簡単な構成により調整することができ、都合がよい。
【００１５】
また、本発明においては、出射口が内部に配設された差込みプラグを、更に備え、差込みプラグを、電子機器に設けられたリモコン受信部のジャック部に着脱可能に構成する。
【００１６】
この構成によれば、出射口のみが差込みプラグにより、電子機器に設けられたリモコン受信部のジャック部に着脱可能に装着されているので、リモコン側は、フリーであり、その使用形態が制限されることがなく、確実に光制御信号を電子機器に伝達することができ、都合がよい。
【００１７】
また、本発明においては、受光部と、出射部とを、同一形状に形成し、受光部を出射部として、また、出射部を受光部として利用可能に構成する。
【００１８】
この構成によれば、受光部と、出射部とが、同一形状に形成されているので、殊更、受光部と、出射部とを、意識することなく設置することができ、都合がよい。
【発明の効果】
【００１９】
本発明によれば、障害物やノイズの影響を受けないで、リモコン操作により確実に電子機器が操作できる光信号伝播装置を得ることができる。
【発明を実施するための最良の形態】
【００２０】
（第１実施形態）
以下、本発明の第１実施形態を図１乃至図９に基づいて説明する。図１は、本発明の第１実施形態に係る光信号伝播装置の構成を示す概念図、図２は、図１に示す受光部の一例を示す概略断面図、図３は、図２に示す受光部の正面図である。図４は、図１に示す出射部の一例を示す概略断面図、図５は、図４に示す出射部の正面図である。図６は、受光部の他の例を示す概略斜視図、図７乃至図９は、図６に示す受光部を異なる面を設置面とした状態を示す概略側面図である。
【００２１】
図１に示すように、電子機器である、例えば、テレビジョン受像機１は、液晶モジュールなどからなる表示画面を備えている。また、テレビジョン受像機１は、フロントパネル１１の所要箇所に、リモコン２からの光制御信号Ｐを受信する、例えば、フォトダイオードなどの受光素子を有するリモコン受信部１２が設けられている。リモコン２は、テレビジョン受像機１を制御するため、電源をオン、オフ切り換え用、チャンネル切り換え用および音量の増減用などの各種操作を行うための操作キー２１を備え、操作キー２１の操作に基づき、例えば、レーザーダイオードなどの発光素子から赤外線などの光制御信号Ｐを発光する。テレビジョン受像機１のリモコン受信部１２は、受光した光制御信号Ｐを、受光素子により光電変換し、電気信号として、例えば、図示しない信号処理部に出力する。そして、出力された電気信号は、信号処理部で増幅および復調などの信号処理がなされ、図示しない制御手段に送られ、制御手段は、入力した電気信号に対応する制御、例えば、電源のオン、オフやチャンネル選択などの制御を行う。
【００２２】
かかる構成により、使用者は、テレビジョン受像機１から離れてた場所において、リモコン２を用いて、例えば、チャンネル切り換えなどの所望の操作を行う。この操作により、使用者は、テレビジョン受像機１の液晶モジュールなどの表示画面に映し出される、所望の画像を観ることができる。
【００２３】
而して、本発明に従い、図１に示すように、テレビジョン受像機１と、リモコン２との間には、障害物やノイズの影響を避けるために、リモコン２からの光制御信号Ｐを受光し、この受光した光制御信号Ｐをテレビジョン受像機１に向けて出射する光信号伝播装置３が配設されている。この光信号伝播装置３は、光制御信号Ｐを伝播する光伝播路４と、光伝播路４の一方の端部に設けられ、リモコン２からの光制御信号Ｐを受ける受光部５と、光伝播路４の他方の端部に設けられ、光制御信号Ｐをテレビジョン受像機１に向けて出射する出射部６と、から構成されている。光伝播路４は、一方の端部を光制御信号Ｐが入射する入射口４１とし、他方の端部を光制御信号Ｐが出射する出射口４２として機能する。この光伝播路４としては、例えば、光ファイバーケーブル、テグス（光を伝播することができる道糸）などを用いることができる。この場合、距離が短いときには、テグスを用いれば、よりコスト低減を図ることができる。
【００２４】
受光部５は、リモコン２から入射口４１に直接向かう光制御信号Ｐのみが入射されるように形成されている。即ち、この受光部５は、例えば、図２および図３に示すように、光制御信号Ｐに向けて配設される受光面５１と、当該受光面５１から内部に向かって窪むように形成された半球状の反射面５２とを形成し、また、反射面５２の最深部には、入射口４１が位置するように、合成樹脂により一体に成形されている。
【００２５】
出射部６は、例えば、図４および図５に示すように、受光部５と同様に、出射面６１と、当該出射面６１から内部に向かって窪むように形成された半球状の反射面６２とを形成し、また、反射面６２の最深部には、出射口４２が位置するように、合成樹脂により一体に成形されている。この場合、受光部５と、出射部６とを、同一形状に形成し、受光部５を出射部６として、また、出射部６を受光部５として利用可能に構成してもよい。このように構成すれば、受光部５と、出射部６とが、同一形状に形成されているので、殊更、受光部５と、出射部６とを、意識することなく設置することができ、都合がよい。更には、受光部５および出射部６の標準化が図れるとともに、成形用金型なども共用でき、よりコスト低減が図れる。
【００２６】
受光部５は、例えば、図６乃至図９に示すように、断面形状が多角形である三角錐形状とし、受光面５１を、リモコン２を操作する操作者に向けて配設した際、当該受光部５を設置する際の設置面となりうる複数の面５３ａ、５３ｂ、５３ｃを有するように形成する。そして、各面５３ａ、５３ｂ、５３ｃと、受光面５１に対する角度が互いに異なる角度となるように形成する。即ち、図７では、面５３ａを設置面とし、受光面５１に対する角度をθ１に、図８では、面５３ｂを設置面とし、受光面５１に対する角度をθ２に、図９では、面５３ｃを設置面とし、受光面５１に対する角度をθ３になるように形成する。
【００２７】
このように、受光部５として設置面となりうる複数の面５３ａ、５３ｂ、５３ｃを有する断面形状が多角形に形成し、各面５３ａ、５３ｂ、５３ｃのうち少なくとも２つの面は、受光面５１に対する角度が互いに異なる角度となるように形成すると、受光面５１が異なる角度となるように設置できる。従って、使用場所、設置環境などに応じて、受光面５１がリモコン２を操作する操作者に対して最適な角度となるように受光部５を設置することができ、都合がよい。また、図示しないが、出射部６についても同様に形成すれば、同様の効果を得ることができ、都合がよい。また、四角形以上の多角形に形成してもよいのは、勿論である。
【００２８】
以上の構成による本実施形態では、テレビジョン受像機１と、当該テレビジョン受像機１を制御するために光制御信号Ｐを発信するリモコン２との間に、光信号を伝播する光伝播路４と、光伝播路４の一方の端部に設けられ、リモコン２からの光制御信号Ｐを受ける受光部５と、光伝播路４の他方の端部に設けられ、光制御信号Ｐをテレビジョン受像機１に向けて出射する出射部６とを、単に配設すればよいので、上述した従来例のように、リモコン２と、光伝播路４とを直接接続する必要がない。その結果、その使用形態が制限されることがない。また、使用者の操作位置に応じて、リモコンとともに、光伝播路４を引き廻す必要がないので、光伝播路４を損傷することがない。更には、入射口４１は、半球状の反射面５２の最深部に配設されているので入射口４１には、リモコン２から直接入射口４１に向かう光制御信号Ｐのみが入射され、反射面５２によって反射された反射光制御信号は、当該反射面５２によって受光部５から外部に反射される。この結果、上述した従来例のように、光制御信号Ｐにノイズが重畳することがないので、障害物やノイズの影響を受けることなく、テレビジョン受像機１をリモコン２により確実に操作することができる。しかも、上述した従来例のように、特別な設置工事が必要でないので、この種光信号伝播装置３のコストの低減を図ることができる。
【００２９】
（第２実施形態）
次に、本発明の第２実施形態について図１０および図１１を参照しながら説明する。図１０は、本発明の第２実施形態に係る光信号伝播装置の構成を示す概念図、図１１は、保持スタンドの一例を示す概略正面図である。なお、図１０および図１１において、上述した図１乃至図９と同じ符号を付した部分は、略同一のものを示すため、ここでは詳細な説明は省略する。以下、上述した実施形態との相違点を中心に説明する。
【００３０】
本実施形態では、図１０に示すように、光伝播路４の出射口４２側を、図１１に示す様な保持スタンド７により保持し、出射口４２が、電子機器である、例えば、テレビジョン受像機１のリモコン受信部１２に向かうように配置したものである。保持スタンド７は、テレビジョン受像機１を設置する、図示しない設置台の上に設置される基礎部７１と、脚部７２と、光伝播路４を保持する保持部７３を、例えば、合成樹脂などにより一体的に構成する。
【００３１】
以上の構成による本実施形態よれば、上述した実施形態と同様の作用効果を奏する他、光伝播路４の出射口４２を、保持スタンド７により保持しているので、極めて簡単に、出射口４２と、テレビジョン受像機１との位置関係を、極めて簡単な構成により調整することができ、都合がよい。
【００３２】
（第３実施形態）
次に、本発明の第３実施形態について図１２乃至図１４を参照しながら説明する。図１２は、本発明の第３実施形態に係る光信号伝播装置の構成を示す概念図、図１３は、差込みプラグの一例を示す概略斜視図、図１４は、電子機器のリモコン受信部のジャック部に差込みプラグを接続した状態を一部断面して示す側断面図である。なお、図１２乃至図１４において、上述した図１乃至図１１と同じ符号を付した部分は、略同一のものを示すため、ここでは詳細な説明は省略する。以下、上述した実施形態との相違点を中心に説明する。
【００３３】
本実施形態では、図１２乃至図１４に示すように、光伝播路４の出射口４２側に、図１３に示す様な差込みプラグ８を設け、この差込みプラグ８の内部に出射口４２を配設したものである。また、電子機器であるテレビジョン受像機１のリモコン受信部１２には、差込みプラグ８が着脱可能なジャック部１３が装着されている。差込みプラグ８は、例えば、図１３に示すように、直方体形状に形成され、光伝播路４の出射口４２が先端部８１に露出する形で、その全体が合成樹脂材料などで構成されている。そして、差込みプラグ８は、先端部８１の上辺付近から後方に延設されたアーム８２を備えている。アーム８２は、弾性部８３と、段差部８４ａを有する係止部８４とから形成されている。このアーム８２は、下方に押し下げても弾性部８３の反発作用によって元の状態に戻るようになっている。
【００３４】
また、テレビジョン受像機１のリモコン受信部１２に装着されているジャック部１３も、直方体形状に形成され、その一端面に差込みプラグ８を差し込むプラグ挿入部１４が形成されている。プラグ挿入部１４の内壁上面には、段差部１５ａを有する係止部１５が形成されている。また、プラグ挿入部１４の内壁先端の出射口４２と当接する位置には、光制御信号Ｐを受光する受光素子１６或いは集光部などが設けられている。
【００３５】
この構成により、差込みプラグ８をジャック部１３のプラグ挿入部１４に差し込むと、アーム８２の弾性部８３がプラグ挿入部１４の内壁上面に摺接して変形し、アーム８２が下方に押し下げられる。そして、差込みプラグ８が正規の位置（図１４参照）まで差し込まれると、弾性部８３の反発力によりアーム８２が上方に変位し、差込みプラグ８の係止部８４と、ジャック部１３の係止部１５とが、互いの段差部８４ａ、段差部１５ａにより係合する。これにより、差込みプラグ８は、ジャック部１３から抜けることが防止され、ジャック部１３内に差し込まれた状態で、確実に固定される。この状態で、リモコン２からの光制御信号Ｐは、受光部５、光伝播路４を介して、リモコン受信部１２に伝達される。リモコン受信部１２で受光した光制御信号Ｐは、受光素子１６により光電変換し、電気信号として、例えば、図示しない信号処理部に出力される。
【００３６】
以上の構成による本実施形態よれば、上述した実施形態と同様の作用効果を奏する他、出射口４２のみ差込みプラグ８により、テレビジョン受像機１に設けられたリモコン受信部１２のジャック部１３に着脱可能に装着されているので、リモコン２側は、フリーであり、その使用形態が制限されることがなく、確実に光制御信号Ｐをテレビジョン受像機１に伝達することができ、都合がよい。
【００３７】
なお、上述した各実施形態は、本発明の好適な実施例であるが、本発明はこれに限定されるものではなく、本発明の要旨を逸脱しない範囲において、種々変形実施可能である。
【００３８】
また、上述の各実施形態では、テレビジョン受像機について詳述したが、ビデオテープレコーダ、カラオケ装置またはエアコンなどの各種の電子機器に適用しても良いのは、勿論である。
【００３９】
また、上述の各実施形態では、光伝播路４の出射口４２を、出射部６または保持スタンド７により支持、或いは差込みプラグ８内に埋設するようにしたが、このような出射部６、保持スタンド７および差込みプラグ８を用いずに、例えば、電子機器を設置する設置台の上に直接載せ、粘着テープなどで固定するようにしても良いのは、勿論である。
【００４０】
更に、本発明によれば、多くの聴衆など集まるデモンストレーションなどの会場において、操作者が電子機器本体から離れた位置に居ても、確実にリモコンによる操作ができ、デモンストレーション効果を向上することがでる。
【図面の簡単な説明】
【００４１】
【図１】本発明の第１施形態に係る光信号伝播装置の構成を示す概念図である。
【図２】図１に示す受光部の一例を示す概略断面図である。
【図３】図２に示す受光部の正面図である。
【図４】図１に示す出射部の一例を示す概略断面図である。
【図５】図４に示す出射部の正面図である。
【図６】受光部の他の例を示す概略斜視図である。
【図７】図５に示す受光部を異なる面を設置面とした状態を示す概略側面図である。
【図８】図５に示す受光部を異なる面を設置面とした状態を示す概略側面図である。
【図９】図５に示す受光部を異なる面を設置面とした状態を示す概略側面図である。
【図１０】本発明の第２実施形態に係る光信号伝播装置の構成を示す概念図である。
【図１１】保持スタンドの一例を示す概略正面図である。
【図１２】本発明の第３実施形態に係る光信号伝播装置の構成を示す概念図である。
【図１３】差込みプラグの一例を示す概略斜視図である。
【図１４】電子機器のリモコン受信部のジャック部に差込みプラグを接続した状態を一部断面して示す側断面図である。
【図１５】従来例を説明するための光制御信号のタイムチャートである。
【符号の説明】
【００４２】
Ｐ      光制御信号
１      電子機器（テレビジョン受像機）
２      リモートコントロール送信機（リモコン）
３      光信号伝播装置
４      光伝播路
４１    入射口
４２    出射口
５      入射部
５１    受光面
５２    反射面
６      出射部
７      保持スタンド
８      差込みプラグ
１２    リモコン受信部
１３    ジャック部
【図１】
2008099150.tif 000003
【図２】
2008099150.tif 000004
【図３】
2008099150.tif 000005
【図４】
2008099150.tif 000006
【図５】
2008099150.tif 000007
【図６】
2008099150.tif 000008
【図７】
2008099150.tif 000009
【図８】
2008099150.tif 000010
【図９】
2008099150.tif 000011
【図１０】
2008099150.tif 000012
【図１１】
2008099150.tif 000013
【図１２】
2008099150.tif 000014
【図１３】
2008099150.tif 000015
【図１４】
2008099150.tif 000016
【図１５】
2008099150.tif 000017